(57)【特許請求の範囲】
【請求項１】
フィルタ枠内部に収納されるフィルタであって、折り加工されたフィルタ両端部に先端が濾材の濾過方向に下流向きとなるように設けた断面Ｌ型の耳部が、前記フィルタ枠上流側の左右内側面に濾材の濾過方向に上流向きとなるように設けた凹部に受け入れられることで、または前記耳部がフィルタ枠上流側左右の壁に引っ掛けられ、フィルタ枠上流側の左右側面側にプレフィルタ枠で挟み込まれることにより、当該フィルタが前記フィルタ枠に取り外し可能に取り付けられるようにしたことを特徴とする耳付フィルタ。
【請求項２】
フィルタ枠内部に収納されるフィルタであって、折り加工されたフィルタ両端部に設けた断面Ｌ型の耳部を備えると共に、該耳部に先端が濾材の濾過方向に下流向きとなるように設けたフック部を設け、該フック部を前記フィルタ枠上流側の左右内側面に濾材の濾過方向に上流向きとなるように設けた凹部に掛着させることにより、当該フィルタが前記フィルタ枠に取り外し可能に取り付けられるようにしたことを特徴とする耳付きフィルタ。
【請求項３】
折り加工されたフィルタ両端部に断面Ｌ型の耳部を設けた耳付フィルタを枠内部に収納するフィルタ枠であって、当該フィルタ枠上流側の左右内側面に濾材の濾過方向に上流向きとなるように設けた凹部に前記耳付フィルタの先端が濾材の濾過方向に下流向きとなるように設けた耳部を受け入れることで、前記フィルタが取り外し可能に取り付けられるようにしたことを特徴とするフィルタ枠。
【請求項４】
フィルタ枠下流側の内側上下面に耳付フィルタの折り形状に対応して土手部が設けられていることを特徴とする請求項３記載のフィルタ枠。
【請求項５】
折り加工されたフィルタ両端部に先端が濾材の濾過方向に下流向きとなるように設けた断面Ｌ型の耳部を、フィルタ枠上流側の左右内側面に濾材の濾過方向に上流向きとなるように設けた凹部が受け入れることにより、前記耳付フィルタがフィルタ枠に取り外し可能に取り付けられるようにしたことを特徴とする耳付フィルタのフィルタ枠への取付構造。
【請求項６】
フィルタ両端部に設けた断面Ｌ型の耳部を設けた耳付きフィルタが、フィルタ枠下流側の内側上下面に前記耳付フィルタの折り形状に対応して設けた土手部に当接すると共に、フィルタ枠上流側の左右内側面に設けた凹部が前記耳付フィルタの耳部を受け入れることにより取り付けられていることを特徴とする請求項５記載の耳付フィルタのフィルタ枠への取付構造。
【請求項７】
折り加工されたフィルタ両端部に先端が濾材の濾過方向に下流向きとなるように設けた断面Ｌ型の耳部をフィルタ枠上流側左右の壁に引っ掛け、該耳部をフィルタ枠上流側の左右側面側にプレフィルタ枠で挟み込むことにより、前記耳付フィルタが前記フィルタ枠に取り外し可能に取り付けられるようにしたことを特徴とする耳付フィルタのフィルタ枠への取付構造。
【請求項８】
フィルタ両端部に設けた断面Ｌ型の耳部を設けた耳付きフィルタが、フィルタ枠下流側の内側上下面に前記耳付フィルタの折り形状に対応して設けた土手部に当接すると共に、フィルタ枠上流側の左右側面側に前記耳付フィルタの耳部をプレフィルタ枠で挟み込むことにより取り付けられていることを特徴とする請求項７記載の耳付フィルタのフィルタ枠への取付構造。
【発明の詳細な説明】
【０００１】
【産業上の利用分野】
本発明は耳付フィルタ、フィルタ枠及び耳付フィルタのフィルタ枠への取付構造に関する。詳細には、フィルタのみ単独で取り扱うことができ、フィルタ枠への取り付け、取り外しが容易であり、しかも確実にエアーリークを防止できる耳付フィルタ、フィルタ枠及び耳付フィルタのフィルタ枠への取付構造に関する。
【０００２】
【従来の技術及び発明が解決しようとする課題】
従来、図６に示すように、フィルタ１は運搬中や交換時の振動から当該フィルタ１を保護することを目的としてフィルタ枠２と接合一体化した形態（ユニット型フィルタ）で取り扱われていた。
【０００３】
ところが、フィルタ枠には厚さが９ｍｍの合坂や厚さが１ｍｍの鋼板が用いられており、その重量は６〜１５ｋｇと重く、これをフィルタに接合一体化した状態で取り扱う場合には、交換作業や運搬作業に大変な労力と時間とを要していた。
【０００４】
また、フィルタ枠と接合一体化したフィルタを廃棄する場合、鋼板を枠として用いたものは燃えないため、また合板を使用したものにあっても、フィルタを固定するための釘やタッカー等の固定具を使用しているため、フィルタとは分離して別々に処分しなければならないという煩雑さがあった。
【０００５】
また、このようなフィルタ枠と接合一体化した形態で取り扱う場合、フィルタ枠の耐用年数は１０〜１５年であるにも拘らず、フィルタの使用限度が６〜２４カ月であることから、その交換はフィルタの使用限度に合わせて行われており、十分に使用可能なフィルタ枠までもフィルタとともに廃棄してしまうという大変に無駄な対応を取らざるを得なかった。
【０００６】
さらに、フィルタ枠は合板や鋼板によってできており減容することができないので箱型のままの運搬となり、その分おおきなスペースを確保しなければならなかった。
【０００７】
そこで、従来のフィルタ枠を接合一体化したフィルタにおける取り扱い性の悪さ、廃棄処分の煩雑さ、減容できないなどの欠点を解消できるフィルタとして、フィルタの天地部や両端部をプラスチックや不織布で補強してフィルタのみで取り扱うことができるようにして前記課題に対処したものも提案されている。
【０００８】
しかしながら、このフィルタにあっては、図７に示すように、フィルタ１自体十分な強度を有しておらず、使用時における風圧で変形し、フィルタ枠２との間に隙間が生じてエアーリークが発生し易いという欠点があった。
【０００９】
本発明は、このような事情に鑑みなされたものであり、フィルタのみ単独で取り扱うことができ、フィルタ枠への取り付け、取り外しが容易であり、しかも確実にエアーリークを防止できる耳付フィルタ、フィルタ枠及び耳付フィルタのフィルタ枠への取付構造を提供することを目的とするものである。
【００１０】
【課題を解決するための手段】
上記目的を達成するため、請求項１記載の発明は、フィルタ枠内部に収納されるフィルタであって、折り加工されたフィルタ両端部に先端が濾材の濾過方向に下流向きとなるように設けた断面Ｌ型の耳部が、前記フィルタ枠上流側の左右内側面に濾材の濾過方向に上流向きとなるように設けた凹部に受け入れられることで、または前記耳部がフィルタ枠上流側左右の壁に引っ掛けられ、フィルタ枠上流側の左右側面側にプレフィルタ枠で挟み込まれることにより、当該フィルタが前記フィルタ枠に取り外し可能に取り付けられるようにしたことを特徴とする耳付フィルタをその要旨とした。
【００１１】
請求項２記載の発明は、フィルタ枠内部に収納されるフィルタであって、折り加工されたフィルタ両端部に設けた断面Ｌ型の耳部を備えると共に、該耳部に先端が濾材の濾過方向に下流向きとなるように設けたフック部を設け、該フック部を前記フィルタ枠上流側の左右内側面に濾材の濾過方向に上流向きとなるように設けた凹部に掛着させることにより、当該フィルタが前記フィルタ枠に取り外し可能に取り付けられるようにしたことを特徴とする耳付きフィルタをその要旨とした。
【００１２】
請求項３記載の発明は、折り加工されたフィルタ両端部に断面Ｌ型の耳部を設けた耳付フィルタを枠内部に収納するフィルタ枠であって、当該フィルタ枠上流側の左右内側面に濾材の濾過方向に上流向きとなるように設けた凹部に前記耳付フィルタの先端が濾材の濾過方向に下流向きとなるように設けた耳部を受け入れることで、前記フィルタが取り外し可能に取り付けられるようにしたことを特徴とするフィルタ枠をその要旨とした。
【００１３】
請求項４記載の発明は、フィルタ枠下流側の内側上下面に耳付フィルタの折り形状に対応して土手部が設けられていることを特徴とするフィルタ枠をその要旨とした。
【００１４】
請求項５記載の発明は、折り加工されたフィルタ両端部に先端が濾材の濾過方向に下流向きとなるように設けた断面Ｌ型の耳部を、フィルタ枠上流側の左右内側面に濾材の濾過方向に上流向きとなるように設けた凹部が受け入れることにより、前記耳付フィルタがフィルタ枠に取り外し可能に取り付けられるようにしたことを特徴とする耳付フィルタのフィルタ枠への取付構造をその要旨とした。
【００１５】
請求項６記載の発明は、フィルタ両端部に設けた断面Ｌ型の耳部を設けた耳付きフィルタが、フィルタ枠下流側の内側上下面に前記耳付フィルタの折り形状に対応して設けた土手部に当接すると共に、フィルタ枠上流側の左右内側面に設けた凹部が前記耳付フィルタの耳部を受け入れることにより取り付けられていることを特徴とする耳付フィルタのフィルタ枠への取付構造をその要旨とした。
【００１６】
請求項７記載の発明は、折り加工されたフィルタ両端部に先端が濾材の濾過方向に下流向きとなるように設けた断面Ｌ型の耳部をフィルタ枠の上流側左右の壁に引っ掛け、該耳部をフィルタ枠上流側の左右側面側にプレフィルタ枠で挟み込むことにより、前記耳付フィルタが前記フィルタ枠に取り外し可能に取り付けられるようにしたことを特徴とする耳付フィルタのフィルタ枠への取付構造をその要旨とした。
【００１７】
請求項８記載の発明は、フィルタ両端部に設けた断面Ｌ型の耳部を設けた耳付きフィルタが、フィルタ枠下流側の内側上下面に前記耳付フィルタの折り形状に対応して設けた土手部に当接すると共に、フィルタ枠上流側の左右側面側に前記耳付フィルタの耳部をプレフィルタ枠で挟み込むことにより取り付けられていることを特徴とする耳付フィルタのフィルタ枠への取付構造をその要旨とした。
【００１８】
【作用】
請求項１記載の耳付フィルタ１１は、フィルタ１１両端部に設けた断面Ｌ型の耳部１３をフィルタ枠１４上流側の左右内側面に設けた凹部１５に受け入れさせることにより、フィルタ枠１４への取り外し可能な取り付けがなされるようになっている。
【００１９】
また、この耳付フィルタ１１は、先端が濾材Ｎの濾過方向に下流向きとなるように設けた断面Ｌ型の耳部１３をフィルタ枠１４の上流側左右の壁に引っ掛け、該耳部１３をフィルタ枠１４上流側の左右側面側にプレフィルタ枠１７で挟み込むことによってもフィルタ枠１４への取り外し可能な取り付けがなされるようになっている。
【００２０】
また、この耳付フィルタ１１は、フィルタ１１両端部に設けた耳部１３の先端が濾材Ｎの濾過方向に下流向きとなるように設けられており、この耳部１３がフィルタ枠１４の濾材Ｎの濾過方向に上流向きとなるように設けた凹部１５内に受け入れられてフィルタ１１端部の取り外し可能な取り付けがなされたとき、該フィルタ１１に運転時の風圧が加わることでフィルタ１１は下流側に押され、フィルタ１１端部の耳部１３はその力で凹部１５の内壁に密接し、フィルタ１１両端部とフィルタ枠１４との間に隙間が生じ難くなり、エアーリークの発生が防止されるようになっている。
【００２１】
請求項２記載の耳付フィルタ１１は、フィルタ１１両端部の耳部１３に先端が濾材Ｎの濾過方向に下流向きとなるように設けたフック部１３ａをフィルタ枠１４上流側の左右内側面に濾材Ｎの濾過方向に上流向きとなるように設けた凹部１５に掛着させることにより、フィルタ枠１４への取り付けがなされるようになっている。
【００２２】
請求項３記載のフィルタ枠１４は、フィルタ枠１４上流側の左右内側面に設けた凹部１５が前記耳付フィルタ１１の耳部１３を受け入れることで、運転時に加わる下流側への風圧に対しフィルタ１１両端部を安定に支えて、フィルタ１１の取り外し可能な取り付けがなされるようになっている。
【００２３】
また、このフィルタ枠１４は、フィルタ１１両端部に設けた耳部１３の先端が濾材Ｎの濾過方向に下流向きとなるように設けられており、この耳部１３がフィルタ枠１４の濾材Ｎの濾過方向に上流向きとなるように設けた凹部１５内に受け入れられてフィルタ１１端部の取り外し可能な取り付けがなされたとき、該フィルタ１１に運転時の風圧が加わることでフィルタ１１は下流側に押され、フィルタ１１端部の耳部１３はその力で凹部１５の内壁に密接し、フィルタ１１両端部とフィルタ枠１４との間に隙間が生じ難くなり、エアーリークの発生が防止されるようになっている。
【００２４】
請求項４記載のフィルタ枠１４は、フィルタ１１をフィルタ枠１４に取り付けたとき、フィルタ枠１４下流側の内側上下面に耳付フィルタ１１の折り形状に対応して設けられた土手部１６がフィルタ１１の下流側に当接するようになっており、当該フィルタ１１はこの土手部１６により折り形状が保持され、かつ下流側で支持されるようになっている。
【００２５】
請求項５記載の耳付フィルタのフィルタ枠への取付構造にあっては、耳付フィルタ１１の耳部１３をフィルタ枠１４上流側の左右内側面に設けた凹部１５が受け入れることによりフィルタ１１が取り外し可能な取り付けがなされるようになっている。
【００２６】
また、この取付構造にあっては、フィルタ１１両端部に設けた耳部１３の先端が濾材Ｎの濾過方向に下流向きとなるように設けられており、この耳部１３がフィルタ枠１４の濾材Ｎの濾過方向に上流向きとなるように設けた凹部１５内に受け入れられてフィルタ１１端部の取り外し可能な取り付けがなされたとき、該フィルタ１１に運転時の風圧が加わることでフィルタ１１は下流側に押され、フィルタ１１端部の耳部１３はその力で凹部１５の内壁に密接し、フィルタ１１両端部とフィルタ枠１４との間に隙間が生じ難くなり、エアーリークの発生が防止されるようになっている。
【００２７】
請求項６記載の耳付フィルタのフィルタ枠への取付構造にあっては、耳付フィルタ１１の耳部１３をフィルタ枠１４上流側の左右内側面に設けた凹部１５が受け入れることによりフィルタ１１両端部が上流側で支えられるとともに、フィルタ１１をフィルタ枠１４に取り付けたとき、フィルタ枠１４下流側の内側上下面に耳付フィルタ１１の折り形状に対応して設けられた土手部１６がフィルタ１１の下流側に当接するようになっており、当該フィルタ１１はこの土手部１６により折り形状が保持され、かつ下流側で支持されるようになっている。
【００２８】
請求項７記載の耳付フィルタのフィルタ枠への取付構造にあっては、耳付フィルタ１１両端部に先端が濾材Ｎの濾過方向に下流向きとなるように設けた断面Ｌ型の耳部１３をフィルタ枠１４の上流側左右の壁に引っ掛け、該耳部１３をフィルタ枠１４上流側の左右側面側にプレフィルタ枠１７で挟み込むことにより、耳付フィルタがフィルタ枠に取り外し可能に取り付けられるようになっている。
【００２９】
請求項８記載の耳付フィルタのフィルタ枠への取付構造にあっては、フィルタ枠１４上流側の左右側面側に耳付フィルタ１１の耳部１３をプレフィルタ枠１７で挟み込むことによりフィルタ１１両端部が上流側で支えられるとともに、フィルタ１１をフィルタ枠１４に取り付けたとき、フィルタ枠１４下流側の内側上下面に耳付フィルタ１１の折り形状に対応して設けられた土手部１６がフィルタ１１の下流側に当接するようになっており、当該フィルタ１１はこの土手部１６により折り形状が保持され、かつ下流側で支持されるようになっている。
【００３０】
【実施例】
以下、本発明の耳付フィルタ、フィルタ枠及び耳付フィルタのフィルタ枠への取付構造を図面に従って詳細に説明する。本発明の耳付フィルタは、従来より使用されている不織布や紙やガラス繊維紙など折り加工後の形状が容易に崩れない程度の保形性を持つ濾材を所定の折り形状に折り加工したものである。例えばプリーツ加工のみしたもの、あるいはプリーツ加工（一次折り加工）し、さらにＷ型に折り加工（二次折り加工）して表面積の増大が計られたものなどを挙げることができる。
【００３１】
図１に示したものはプリーツ加工した濾材Ｎの天地部に断面コ型の不織布１２を接着すると共に、前記不織布１２を所定間隔毎に交互に一方の折曲片を残して切断したものであり、図２に示したものは、プリーツ加工した濾材Ｎを所定寸法で切断すると共に、各切断された濾材Ｎの幅方向端部毎交互に不織布又はプラスチック板からなる補強帯１８を接着したものである。図１のフィルタ１１は、切断単位毎に切断されないでおかれた折曲片を蝶番として切断された側が開閉し、図２のフィルタ１１は、切断単位毎に補強帯１８を蝶番として開閉して、フィルタ枠とは別に小さく折り畳んで取り扱うことができるようになっている。尚、フィルタ１１としては、上記図１及び図２に示したものに限らず、従来のプリーツ加工した濾材をＷ型に曲折したものであって、フィルタの天地部に不織布やプラスチック板を貼り付けてダブルジグザグの形状を保持したものなど何でもよい。
【００３２】
耳部１３はフィルタ１１両端部に設けた断面Ｌ型の突出片であり、樹脂を含浸した不織布やプラスチック板など、使用時の風圧や取り扱い時に加わる外力によってその形状が容易に崩れない程度の剛性を有するシート材を素材としている。この耳部１３には、当該フィルタ１１をフィルタ枠１４に取り付けたとき、図３及び図４に示すように、その先端が下流側向きとなるように設けたものと、図５に示すように上流側向きとなるように設けたものとがある。
【００３３】
耳部１３先端が下流側向きとなるように設けたものとしては、例えば図３に示すように、フィルタ枠１４上流側の左右内側面にスリット状の溝よりなる凹部１５を設け、この凹部１５内に耳部１３先端を差し込むことでフィルタ１１端部の取り付けがなされるようにしたもの、フィルタ枠１４上流側の左右内側面に底面を広く設けた凹部１５を設け、この凹部１５の立ち上がり面に耳部１３の先端を引っ掛かけてフィルタ１１端部の取り付けがなされるようにしたもの、耳部１３先端が断面コ型に折曲されており、この折曲された耳部１３先端が同じく断面コ型に設けた凹部１５に嵌合してフィルタ枠１４への取り付けがなされるようにしたものなどを挙げることができる。
【００３４】
また、耳部１３先端が上流側向きとなるように設けたものとしては、例えば図５に示すように、耳部１３に先端が濾材Ｎの濾過方向に下流向きとなるように設けたフック部１３ａを設け、この耳部１３先端のフック部１３ａをフィルタ枠１４上流側の左右内側面に濾材Ｎの濾過方向に上流向きとなるように設けた断面Ｖ字状あるいはＵ字状の凹部１５に掛着させることにより、フィルタ枠１４への取り付けがなされるようにしたものなどを挙げることができる。
【００３５】
このようにして耳部１３がフィルタ枠１４の凹部１５内に受け入れられてフィルタ１１端部の取り外し可能な取り付けがなされたとき、当該フィルタ１１に運転時の風圧が加わることでフィルタ１１は下流側に押され、フィルタ１１端部の耳部１３はその力で凹部１５の内壁に密接し、フィルタ１１両端部とフィルタ枠１４との間に隙間が生じ難くなり、エアーリークの発生が防止されるようになる。
【００３６】
尚、耳部１３のフィルタ１１端部への接合は接着剤を介して行うほか、耳部及び又はフィルタ端部にホットメルト樹脂を塗布しておき、加熱加圧することで両者を一体化するようにしてもよい。尚、フィルタ両端部に耳部１３を設けることで同時にフィルタ両端部の補強もなされることになり、当該フィルタが取り扱い時に破損するといった不具合が生じ難くなる。
【００３７】
また、耳部１３はフィルタ端部の長さ方向全体に設けてもよい。この場合、当該耳部に対応する長さの凹部１５をフィルタ枠１４上流側の左右内側面に濾材Ｎの濾過方向に上流向きとなるように設けて、これに受け入れさせたとき、フィルタ端部とフィルタ枠上流側の左右内側面との間は耳部で完全に塞がれることになり、エアーリークの発生防止はより確実なものとなる。
【００３８】
フィルタ枠１４は、図３に示すように、前記耳付フィルタ１１を枠１４内部に収納するものであり、その外形は箱型、下流側をフィルタの形状に合わせてＷ状としたものなどいずれでもよい。また、その材料も特に限定されず、木製、鉄製、プラスチック製などいずれでもよい。このフィルタ枠１４上流側の左右内側面には前記耳付フィルタ１１の耳部１３を受け入れる凹部１５が濾材Ｎの濾過方向に上流向きとなるように設けられている。
【００３９】
凹部１５は前記耳付フィルタ１１の耳部１３を受け入れて、これが容易に外れないように保持するものである。その好ましい態様としては、フィルタ１１の耳部の態様に合わせて図３に示すように耳部１３先端が挿入されるスリット状の溝よりなるものや、図５に示すように耳部１３先端に設けたフック部１３ａが掛着される断面Ｖ字状あるいはＵ字状のもの、底面を広く設けたものであってその立ち上がり面に耳部１３先端が引っ掛かるようにしたもの、断面コ型に折曲された耳部１３先端に対応して同じく断面コ型に設けられ、耳部１３先端が嵌合するようにしたものなどを挙げることができる。尚、図５に示す凹部は耳部１３先端のフック部１３ａが掛着できればよいので、その形状は図５に示すものの他、スリット状の溝であってもよい。そして、この凹部１５内に前記耳付フィルタ１１の耳部１３を差し込んだり掛着させたり嵌合させたりして受け入れさせることで、フィルタ１１は運転時に加わる下流側への風圧に対し安定に支えられ、取り外し可能な取り付けがなされるようになる。
【００４０】
また、フィルタ枠１４の下流側の内側上下面には、前記耳付フィルタ１１の折り形状に対応して土手部１６が設けられている。土手部１６は図１及び図２に示す耳付フィルタ１１のダブルジグザグ型の折り形状に対応して同じくダブルジグザグ型に設けたものであり、フィルタ１１をフィルタ枠１４に取り付けたとき、同フィルタ１１の下流側がこの土手部１６に当接して、その折り形状が保持され、かつ下流側で支えられるようになる。
【００４１】
尚、図３に示す態様では、フィルタ１１が上流側でフィルタ枠１４の凹部１５に耳部１３を受け入れることでフィルタ１１両端部が支えられ、下流側でフィルタ１１下流側が土手部１６に当接して支えられるようになっているが、フィルタ１１が上流側のみで支えられるようにしてもよい。
【００４２】
また、フィルタ枠１４の土手部の大きさ、高さなどは特に限定されず、耳付フィルタの折り形状に対応して設けられており、フィルタ１１下流側に当接して当該フィルタの折り形状を保持し、かつこれを下流側で支えるという作用効果を奏するものならば何でもよい。
【００４３】
次に、耳付フィルタのフィルタ枠へ取り付けるための別の取付構造について説明する。この取付構造は、図４に示すように、折り加工された耳付フィルタ１１をフィルタ枠１４内に入れるとき、フィルタ１１の先端が濾材Ｎの濾過方向に下流向きとなるように設けた耳部１３をフィルタ枠１４上流側の両側面外側に突出させ、フィルタ枠１４の上流側左右の壁に引っ掛けた状態に設け、この耳部１３をプレフィルタ枠１７で挟み込むことにより当該フィルタ１１の取り付けがなされるようにしたものである。
【００４４】
この取付構造にあっては、前述した取付構造のようにフィルタ枠１４上流側の左右内側面に凹部１５を設けたものを使用する必要がなく、従来より使用されているフィルタ枠を用いることができるという利点がある。また、耳部１３はプレフィルタ枠をフィルタ枠に止め付けるときにこれらの間に挟んで固定して取り付けることができるようになっているので、フィルタの取り付け、取り外しに手間を取らない。また、このフィルタの耳部はプレフィルタ枠に挟まれて固定されているので、フィルタ枠との間に隙間が生じることがなく、エアーリークが発生することもない。
【００４５】
また、図４に示すように、上流側で耳部１３をプレフィルタ枠１７で挟み込むことによりフィルタ１１両端部が支えられるようにすると共に、フィルタ枠１４の下流側の内側上下面に設けた耳付フィルタ１１の折り形状に対応する土手部１６によってフィルタ１１を下流側で支えるようにすることもできる。この場合、フィルタ１１の下流側がこの土手部１６に当接し、当該フィルタの折り形状はこの土手部１６により保持されるようになる。
【００４６】
【発明の効果】
上記構成を備えたことにより、請求項１記載の耳付フィルタにあっては、フィルタ両端部に先端が濾材の濾過方向に下流向きとなるように設けた断面Ｌ型の耳部をフィルタ枠上流側の左右内側面に濾材の濾過方向に下流向きとなるように設けた凹部が受け入れることにより、あるいはフィルタ枠上流側の左右側面側に前記耳付フィルタの耳部をプレフィルタ枠で挟み込むことにより、当該フィルタのフィルタ枠への取り外し可能な取り付けがなされるようになっているので、当該耳付フィルタの取り付け、取り外しに手間を取らず、取り替え作業に要する労力と時間とを大幅に削減することができる。
【００４７】
また、この耳付フィルタにあっては、先端が下流側向きとなるように設けた耳部をフィルタ枠の濾材の濾過方向に下流向きとなるように設けた凹部に受け入れさせてフィルタ枠に取り付けた場合、当該フィルタが運転時に加わる風圧で下流側に押され、フィルタ端部の耳部もその力で凹部の内壁に密接し、フィルタ両端部とフィルタ枠との間に隙間が生じ難くなるので、エアーリークの発生は確実に防止されることになる。
【００４８】
また、耳部をプレフィルタ枠で取り付けた場合にあっても、フィルタはフィルタ枠に挟まれて固定されているので、フィルタ両端部とフィルタ枠との間に隙間ができず、エアーリークが発生することもない。
【００４９】
また、この耳付フィルタにあっては、フィルタ枠の凹部によりあるいはプレフィルタ枠によりフィルタ枠に確実に取り付けることができるので、運搬時等はフィルタのみ単独で取り扱うことができ、フィルタの交換作業、運搬作業などにおける手間を大幅に削減することができる。また、この耳付フィルタにあっては、図１及び図２のような態様を採ることで、切断単位毎に小さく折り畳むことができ、運搬や保管のためのスペースを小さくすることができる。
【００５０】
請求項２記載の耳付フィルタにあっては、断面Ｌ型の耳部の先端を濾材の濾過方向に下流向きとなるように設けたフック部をフィルタ枠上流側の左右内側面に濾材の濾過方向に上流向きとなるように設けた凹部に掛着させることにより、フィルタ枠への取り付けがなされるようになっているので、当該耳付フィルタの取り付け、取り外しは簡単にしかも確実に行うことができる。
【００５１】
請求項３記載のフィルタ枠にあっては、フィルタ枠上流側の左右内側面に濾材の濾過方向に上流向きとなるように設けた凹部内に耳付フィルタの先端を濾材の濾過方向に下流向きとなるように設けた耳部を受け入れることで、運転時に加わる下流側への風圧に対しフィルタ両端部を安定に支えるようになっているので、当該耳付フィルタの取り付け、取り外しに手間を取らず、取り替え作業に要する労力と時間とを大幅に削減することができる。
【００５２】
また、このフィルタ枠にあっては、フィルタ両端部に先端が濾材の濾過方向に下流向きとなるように設けた耳部を濾材の濾過方向に上流向きとなるように設けた凹部が受け入れて取り付けた場合、当該フィルタが運転時に加わる風圧で下流側に押され、フィルタ端部の耳部もその力で凹部の内壁に密接し、フィルタ両端部もフィルタ枠上流側の左右側面に密着するようになるので、フィルタ両端部とフィルタ枠との間に隙間が生じ難く、エアーリークの発生を確実に防止することができる。
【００５３】
請求項４記載のフィルタ枠にあっては、フィルタをフィルタ枠に取り付けたとき、フィルタ枠下流側の内側上下面に耳付フィルタの折り形状に対応して設けられた土手部がフィルタの下流側に当接するようになっているので、当該フィルタはこの土手部により折り形状が保持され、かつ下流側で支持されるようになる。
【００５４】
請求項５記載の耳付フィルタのフィルタ枠への取付構造にあっては、耳付フィルタの耳部をフィルタ枠上流側の左右内側面に設けた凹部が受け入れることによりフィルタが取り付けられるようになっているので、耳付フィルタの取り付け、取り外しに手間を取らず、取り替え作業に要する労力と時間とを大幅に削減することができる。
【００５５】
この取付構造にあっては、フィルタ両端部に先端が濾材の濾過方向に下流向きとなるように設けた耳部をフィルタ枠の濾材の濾過方向に上流向きとなるように設けた凹部が受け入れてフィルタをフィルタ枠に取り外し可能に取り付けた場合、当該フィルタが運転時に加わる風圧で下流側に押され、フィルタ端部の耳部もその力で凹部の内壁に密接し、フィルタ両端部とフィルタ枠との間に隙間が生じ難くなるので、エアーリークの発生を確実に防止することができる。
【００５６】
請求項６記載の耳付フィルタのフィルタ枠への取付構造にあっては、フィルタ両端部が上流側で支えられるとともにフィルタ下流側が土手部により支持され、その折り形状が保持されるようになっているので、運転時の風圧や取り扱い時に加わる外力によって変形したり破損したりすることがない。
【００５７】
請求項７記載の耳付フィルタのフィルタ枠への取付構造にあっては、従来より使用されているフィルタ枠を用いることができるという利点があり、また耳部はプレフィルタ枠をフィルタ枠に止め付けるときにこれらの間に挟んで固定して取り外し可能に取り付けることができるようになっているので、フィルタの取り付け、取り外しに手間を取らない。また、このフィルタの耳部はプレフィルタ枠に挟まれて固定されているので、フィルタ枠との間に隙間が生じることがなく、エアーリークが発生することもない。
【００５８】
請求項８記載の耳付フィルタのフィルタ枠への取付構造にあっては、フィルタ両端部が上流側で支えられるとともにフィルタ下流側が土手部により支持され、その折り形状が保持されるようになっているので、運転時の風圧や取り扱い時に加わる外力によって変形したり破損したりすることがない。
【図面の簡単な説明】
【図１】本発明の耳付フィルタを示した斜視図。
【図２】本発明の耳付フィルタの別の態様を示した斜視図。
【図３】本発明の耳付フィルタをフィルタ枠内に取り付けた状態を示した平面図。
【図４】本発明の耳付フィルタをフィルタ枠内に取り付ける別の態様を示した平面図。
【図５】本発明の耳付フィルタをフィルタ枠内に取り付けるさらに別の態様を示した拡大平面図。
【図６】従来のユニット型フィルタを示した斜視図。
【図７】フィルタ枠内に取り付けた取り替え式フィルタが風圧で変形している状態を示す斜視図。
【符号の説明】
１１・・・耳付フィルタ
１３・・・耳部
１４・・・フィルタ枠
１５・・・凹部
１６・・・土手部
１７・・・プレフィルタ枠
【図１】
0003831855.tif 000002
【図２】
0003831855.tif 000003
【図３】
0003831855.tif 000004
【図４】
0003831855.tif 000005
【図５】
0003831855.tif 000006
【図６】
0003831855.tif 000007
【図７】
0003831855.tif 000008